(57)【要約】【課題】制御装置のメンテナンス業務を音声入力などによりサポートするオペレーション機能を設けることで、専門知識がなくても、メンテナンス業務を可能とする。【解決手段】制御対象設備につき制御処理を行う制御装置であって、ネットワーク接続状態および履歴情報を含むネットワーク診断情報を保管するデータ保管部３１と、メンテナンス処理を実行するデータ処理部２２と、音声を入力する音声入力部２１と、データ処理部２２における処理結果を音声データに変換する音声データ変換部２３と、前記音声データを音声として出力する音声出力部２５とを備え、データ処理部２２は音声入力部２１に入力された音声のキーワードを識別してキーワードに応じたメンテナンス処理を実行し前記データ保管部３１から所要の情報を取得するとともに、データ処理部２２の処理結果が音声データ変換部２３を介して音声出力部２５により音声として出力されるものとした。【選択図】図１
2019185695.tif 000002
【特許請求の範囲】
【請求項１】
制御対象設備につきネットワークを介して制御処理を行う制御装置であって、ネットワーク接続情報および履歴情報を含むネットワーク診断情報を保管するデータ保管部と、前記データ保管部から情報を取得しメンテナンス処理を実行するデータ処理部と、音声を入力する音声入力部と、前記データ処理部における処理結果を出力データに変換する出力データ変換部とを備え、前記データ処理部は前記音声入力部に入力された音声のキーワードを識別して前記データ保管部から前記キーワードに応じた情報を取得することを特徴とする制御装置。
【請求項２】
前記データ処理部における処理結果が前記出力データ変換部を介して音声出力部により音声として出力されることを特徴とする請求項１に記載の制御装置。
【請求項３】
前記データ処理部における処理結果が前記出力データ変換部を介して文字データ出力部によりＣＳＶファイルとして出力されることを特徴とする請求項１に記載の制御装置。
【請求項４】
前記キーワードに日付指定要素を加えることで、前記日付指定要素に応じた履歴情報を取得することを特徴とする請求項１から請求項３までの何れか１項に記載の制御装置。
【請求項５】
タイマメモリを有し前記制御処理を実行する演算処理部を備え、前記キーワードに対象メモリ特定要素および設定値要素を加えることで、前記対象メモリ特定要素により特定され対象とされる前記タイマメモリにおける既存の設定値の確認および前記設定値要素に応じた設定値の変更を行うことを特徴とする請求項１から請求項４までの何れか１項に記載の制御装置。
【請求項６】
制御対象設備につきネットワークを介して制御処理を行う制御装置であって、ネットワーク接続情報および履歴情報を含むネットワーク診断情報を保管するデータ保管部と、前記データ保管部から情報を取得しメンテナンス処理を実行するデータ処理部と、手動スイッチ入力を入力する手動入力部と、前記データ処理部における処理結果を文字出力に変換する文字出力変換部とを備え、前記データ処理部は前記手動入力部に入力された手動スイッチ入力に応じて前記データ保管部から情報を取得するとともに、前記データ処理部における処理結果が前記文字出力変換部を介して文字データ出力部により文字データとして出力されることを特徴とする制御装置。
【発明の詳細な説明】
【技術分野】
【０００１】
この出願は制御装置、特に、水処理プラントにおけるシーケンス制御・計装制御を行う制御装置のメンテナンス業務を効率化することを目的とした「音声を用いたメンテナンス機能」を搭載した制御装置に関するものである。
【背景技術】
【０００２】
制御装置のメンテナンス業務の１つである故障監視は、従来制御装置とネットワーク接続された監視装置（ＰＣなど）に専用の監視画面を設け、故障表示を行うことで監視機能を実現している。
【先行技術文献】
【特許文献】
【０００３】
【特許文献１】特開２００３−７６４１７号公報
【発明の概要】
【発明が解決しようとする課題】
【０００４】
ネットワークを介した監視装置による故障監視では、「正常または故障」を判断する程度の情報しか表示出来ず、詳細な故障診断が必要な場合には、専用のメンテナンスツールを搭載したメンテナンス用端末を制御装置に直接接続して操作する必要があった。またメンテナンス用端末の操作には専門知識を要し、誰もが容易に行うことが難しかった。
この出願は上記のような課題を解決するためになされたものであり、制御装置のメンテナンス業務を音声入力またはスイッチ入力などによりサポートするオペレーション機能を設けることで、専門知識がなくても、メンテナンス業務を可能とすることを目的としている。
【課題を解決するための手段】
【０００５】
この出願に開示される制御装置は、制御対象設備につきネットワークを介して制御処理を行う制御装置であって、ネットワーク接続情報および履歴情報を含むネットワーク診断情報を保管するデータ保管部と、前記データ保管部から情報を取得しメンテナンス処理を実行するデータ処理部と、音声を入力する音声入力部と、前記データ処理部における処理結果を出力データに変換する出力データ変換部とを備え、前記データ処理部は前記音声入力部に入力された音声のキーワードを識別して前記データ保管部から前記キーワードに応じた情報を取得することを特徴とするものである。
また、この出願に開示される制御装置は、制御対象設備につきネットワークを介して制御処理を行う制御装置であって、ネットワーク接続情報および履歴情報を含むネットワーク診断情報を保管するデータ保管部と、前記データ保管部から情報を取得しメンテナンス処理を実行するデータ処理部と、手動スイッチ入力を入力する手動入力部と、前記データ処理部における処理結果を文字出力に変換する文字出力変換部とを備え、前記データ処理部は前記手動入力部に入力された手動スイッチ入力に応じて前記データ保管部から情報を取得するとともに、前記データ処理部における処理結果が前記文字出力変換部を介して文字データ出力部により文字データとして出力されることを特徴とするものである。
【発明の効果】
【０００６】
この出願に開示される制御装置によれば、制御対象設備につきネットワークを介して制御処理を行う制御装置におけるメンテナンス業務を専門知識なしに容易に遂行することができる。
【図面の簡単な説明】
【０００７】
【図１】実施の形態１における制御装置の構成を示すブロック図である。
【図２】実施の形態２における制御装置の構成を示すブロック図である。
【図３】実施の形態３における制御装置の構成を示すブロック図である。
【図４】実施の形態４における制御装置の構成を示すブロック図である。
【図５】実施の形態４における制御装置の動作を示すフロー図である。
【図６】実施の形態５における制御装置の構成を示すブロック図である。
【発明を実施するための形態】
【０００８】
実施の形態１．
実施の形態１を図１に基づいて説明する。図１は実施の形態１における制御装置の構成を示すブロック図である。
【０００９】
図１において、制御装置１には、メンテナンス機能部２とネットワーク通信機能部３とが搭載されており、メンテナンス機能部２とネットワーク通信機能部３は、内部バス１１によって接続される。メンテナンス機能部２は、メンテナンス作業者が発声する音声を入力する入力部２１、音声入力を基に、既定のメンテナンス処理に変換、実行するデータ処理部２２、データ処理部からの処理結果を基に音声データ変換を行う処理をする音声データ変換部２３、処理結果に応じた音声データを格納する音声データ記憶部２４、音声データを外部出力する出力部２５で構成される。また、ネットワーク通信機能部３では、制御装置のネットワーク接続状態と履歴などのネットワーク診断情報をデータ保管部３１に格納している。
この制御装置１は、水処理プラントなどの制御対象設備につきネットワークを介してシーケンス制御・計装制御などについて制御処理を行うものである。
【００１０】
次に動作について説明する。
メンテナンス作業者が制御装置１に搭載されたメンテナンス機能部２の入力部２１へ予め決められた音声キーワードを発声する。音声キーワードを基に既定の処理に変換し、データ処理部２２にて決められたメンテナンス処理を実行する。例えば、キーワード入力が「ネットワーク診断」であれば、ネットワーク通信機能部３に対し、データ保管部３１からネットワーク診断情報３１１をデータ処理部２２へ取得する。取得したネットワーク診断情報を基に音声データ変換部２３にて、音声データ記憶部２４に登録しているネットワーク診断情報に該当する診断結果の音声データおよび診断結果に対する対処手法の音声データを取得し、出力部２５から音声出力する。
これにより、メンテナンス作業者は、メンテナンス端末または専門知識がなくても、メンテナンス機能部２の音声入力により、ネットワーク診断情報を取得出来かつ必要な対応手法が取得可能となるものであって、メンテナンス業務を的確に遂行することができる。
【００１１】
実施の形態１における制御装置は、図１に示す通り、次の構成が適用されている。
水処理プラントなどの制御対象設備につきネットワークを介してシーケンス制御・計装制御などについて制御処理を行う制御装置であって、ネットワーク接続状態を示すネットワーク接続情報および履歴情報を含むネットワーク診断情報を保管するデータ保管部３１と、メンテナンス処理を実行するデータ処理部２２と、音声を入力する音声入力部と、前記データ処理部における処理結果を出力データに変換する出力データ変換部とを備え、前記データ処理部は前記音声入力部に入力された音声のキーワードを識別して前記キーワードに応じたメンテナンス処理を実行し前記データ保管部３１から前記キーワードに応じた所要の情報を取得するとともに、前記データ処理部２２における前記データ保管部３１から取得したネットワーク診断情報を含む処理結果が前記音声データ変換部２３を介して前記音声出力部２５により音声として出力されることを特徴とする。
すなわち、制御装置へ音声をユーザインターフェースとして機能するメンテナンス機能部２を設け、メンテナンス作業者が発声する音声キーワードによりキーワードに応じた既定処理を実行し、更に実行結果を音声にて応答することを可能とした制御装置としている。
この構成により、制御対象設備につきネットワークを介して制御処理を行う制御装置におけるメンテナンス業務を専門知識を要することなく容易に遂行することができる。
すなわち、制御装置のメンテナンス業務を音声入力によりサポートするオペレーション機能を設けることで、メンテナンス端末または専門知識がなくても、メンテナンス業務が可能となる。
【００１２】
実施の形態２．
実施の形態２を図２に基づいて説明する。図２は実施の形態２における制御装置の構成を示すブロック図である。
【００１３】
図２において、制御装置１には、メンテナンス機能部２、ＣＰＵ部４が搭載されており、メンテナンス機能部２とＣＰＵ部４は、内部バス１１によって接続される。
メンテナンス機能部２は、メンテナンス作業者が発声する音声を入力する入力部２１、音声入力を基に既定の処理に変換、実行するデータ処理部２２、データ処理部からの処理結果を基に音声データ変換を行う処理をする音声データ変換部２３、処理結果に応じた音声データを格納する音声データ記憶部２４、音声データを外部出力する出力部２５で構成される。
また、ＣＰＵ部４では、制御装置１のＣＰＵ故障(過去履歴)詳細情報およびＣＰＵ故障（リアルタイム）詳細情報がデータ保管部４１で格納されている。
【００１４】
次に動作について説明する。
メンテナンス作業者が制御装置１に搭載されたメンテナンス機能部２の入力部２１へ予め決められた音声キーワードを発声する。音声キーワードを基に既定の処理に変換しデータ処理部２２にて決められた処理を実行する。キーワード入力が「ＣＰＵ故障履歴20**年*月*日」であれば、ＣＰＵ部４に対し、データ保管部４１からＣＰＵ故障情報（過去履歴）詳細情報４１１をデータ処理部２２へ取得する。取得したネットワーク故障詳細情報を基に音声データ変換部２３にて、音声データ記憶部２４に登録しているＣＰＵ故障詳細情報に該当する診断結果の音声データおよび診断結果に対する対処方法の音声データを取得し、出力部２５から音声出力する。上記と同様操作で、音声キーワード入力に「ＣＰＵ故障リアル」と音声入力されると、ＣＰＵ故障詳細情報の音声データおよび故障に対処する方法を音声出力する。
これにより、メンテナンス作業者は、メンテナンス端末または専門知識がなくても、メンテナンス機能部２の音声入力により、故障履歴から日付指定を選択し、ＣＰＵ故障情報を取得出来て、かつ必要な対応手法が取得可能となる。
【００１５】
実施の形態２における制御装置は、図２に示す通り、次の構成が適用されている。
入力部２１へ入力される前記音声キーワードに「ＣＰＵ故障履歴20**年*月*日」などからなる日付指定要素を加えることで、データ処理部２２はデータ保管部４１から前記日付指定要素に応じた履歴情報を取得することを特徴とする。
この構成により、専門知識の必要なしに履歴情報を取得することができ、故障への対処手段を的確に取得できる。
【００１６】
実施の形態３．
実施の形態３を図３に基づいて説明する。図３は実施の形態３における制御装置の構成を示すブロック図である。
【００１７】
図３において、制御装置１には、メンテナンス機能部５、ネットワーク通信機能部３、ＣＰＵ部４が搭載されており、メンテナンス機能部５とネットワーク通信機能部３、ＣＰＵ部４は、内部バス１１によって接続される。メンテナンス機能部５は、メンテナンス作業者が発声する音声を入力する入力部５１、音声入力を基に既定の処理に変換、実行するデータ処理部５２、データ処理部からの処理結果を基にＣＳＶファイル生成を行うＣＳＶファイル生成部５３、外部記憶装置などとインターフェース可能な外部Ｉ／Ｆ部５４で構成される。また、ネットワーク通信機能部３では、制御装置のネットワーク接続状態および履歴などのネットワーク診断情報をデータ保管部３１に格納している。ＣＰＵ部４には、ＣＰＵ故障(過去履歴)詳細情報およびＣＰＵ故障（リアルタイム）詳細情報が格納されたデータ保管部４１に格納している。
【００１８】
次に動作について説明する。
メンテナンス作業者が制御装置１に搭載されたメンテナンス機能部５の入力部５１へ予め決められた音声キーワードを発声する。音声キーワードを基に既定の処理に変換し、データ処理部５２にて決められた処理を実行する。例えば、キーワード入力が「ネットワーク診断出力」であれば、ネットワーク通信機能部３に対し、データ保管部３１からネットワーク診断情報３１１をデータ処理部２２へ取得する。取得したネットワーク診断情報を基にＣＳＶファイル生成部５３にて、ＣＳＶファイルを生成する。外部Ｉ／Ｆ部に外部記憶装置などを接続することでＣＳＶファイルが取得出来る。
これにより、メンテナンス作業者はメンテナンス端末または専門知識がなくても、メンテナンス機能部５の音声入力により、ネットワーク診断情報、ＣＰＵ故障履歴、ＣＰＵ故障（リアルタイム）詳細情報を外部記憶装置に取得することが可能となる。
【００１９】
実施の形態３における制御装置は、図３に示す通り、次の構成が適用されている。
水処理プラントなどの制御対象設備につきシーケンス制御・計装制御処理を行う制御装置であって、メンテナンス処理を実行するデータ処理部５２と、音声を入力する音声入力部２１と、前記データ処理部２２における処理結果を音声データに変換する音声データ変換部２３と、前記音声データを音声として出力する音声出力部２５とからなるメンテナンス機能部２を備え、前記データ処理部５２は前記音声入力部に入力された音声のキーワードを識別して前記キーワードに応じたメンテナンス処理を実行するとともに、前記データ処理部における処理結果が前記出力データ変換部を介して文字データ出力部によりＣＳＶファイルとして出力されることを特徴とする。
この構成により、専門知識の必要なしに、ネットワーク診断情報、ＣＰＵ故障履歴、ＣＰＵ故障（リアルタイム）詳細情報等を外部記憶装置に取得することができる。
【００２０】
実施の形態４．
実施の形態４を図４および図５に基づいて説明する。図４は実施の形態４における制御装置の構成を示すブロック図である。図５は実施の形態４における制御装置の動作を示すブロック図である。
【００２１】
図４において、制御装置１には、メンテナンス機能部２、ＣＰＵ部８が搭載されており、メンテナンス機能部２とＣＰＵ部８は、内部バス１１によって接続される。メンテナンス機能部２は、メンテナンス作業者が発声する音声を入力する入力部２１、音声入力を基に既定の処理に変換、実行するデータ処理部２２、データ処理部からの処理結果を基に音声データ変換を行う処理をする音声データ変換部２３、処理結果に応じた音声データを格納する音声データ記憶部２４、音声データを外部出力する出力部２５で構成される。ＣＰＵ部８では、水処理プラントにおけるシーケンス制御、計装制御のソフトウエアで使用するタイマーメモリ８１がある。
【００２２】
次に動作について説明する。
図５において、実施の形態４における制御装置の動作に係るフロー図を示す。メンテナンス作業者は、タイマーメモリ８１の変更手順として、タイマーメモリ設定確認後にタイマーメモリ設定変更を実行する。
タイマーメモリ設定確認では、メンテナンス作業者が制御装置１に搭載されたメンテナンス機能部２の入力部２１へ音声キーワードを発声する。音声キーワードを基に既定の処理に変換し、データ処理部２２にて決められた処理を実行する。例えば、キーワード入力が「タイマーメモリ８１現在値」であれば、ＣＰＵ部８に対し、タイマーメモリ８１の現在値の情報をデータ処理部２２へ取得する。取得したタイマー情報を基に音声データ変換部２３にて、音声データ記憶部２４に登録しているタイマー情報に該当する結果の音声データを出力部２４から「タイマーメモリ８１は、１０秒です」と音声出力する。
次にタイマーメモリ設定変更を実行する。入力部２１へ音声キーワード例えば、「タイマーメモリ８１変更２０秒」であれば、ＣＰＵ部８に対し、タイマーメモリ８１の値を音声キーワードに応じた値２０秒に変更し、変更結果であるタイマーメモリ８１の値をデータ処理部２２へ取得する。取得したタイマー情報を基に音声データ変換部２３にて、音声データ記憶部２４に登録しているタイマー情報に該当する音声データを出力部２４から「タイマーメモリ８１は、２０秒に変更されました」と音声出力する。
これにより、メンテナンス作業者は、メンテナンス端末または専門知識がなくても、メンテナンス機能部２の音声入力により、タイマーメモリの設定値を確認および変更することが可能となる。
【００２３】
実施の形態４における制御装置は、図４および図５に示す通り、前述した実施の形態１から実施の形態３までの何れかの構成において、次の構成が適用されている。
タイマメモリ８１を有し制御対象設備につきネットワークを介し前記制御処理を実行するＣＰＵ部８からなる演算処理部を備え、前記音声キーワードに対象メモリ特定要素および設定値要素を加えることで、前記対象メモリ特定要素により特定され対象とされる前記タイマメモリ８１における既存の設定値の確認および前記設定値要素に応じた設定値の変更を行うことを特徴とする。
この構成により、専門知識の必要なしに、ＣＰＵ部８からなる演算処理部の構成要素であるタイマメモリ８１における対象メモリの設定値の確認および設定値の健康を的確かつ容易に行うことができる。
【００２４】
実施の形態５．
実施の形態５を図６に基づいて説明する。図６は実施の形態５における制御装置の構成を示すブロック図である。
【００２５】
図６において、制御装置１には、メンテナンス機能部９、ネットワーク通信機能部３が搭載されており、メンテナンス機能部９とネットワーク通信機能部３は、内部バス１１によって接続されている。メンテナンス機能部９は、メンテナンス作業者が操作する手動スイッチ入力部９１、手動スイッチからの入力信号を基に既定の処理に変換実行させるデータ処理部９２、データ処理部９２からの処理結果を元に文字データ変換を行う処理をする文字出力変換部９３、処理設定に応じた文字データを格納する文字データ記憶部９４、文字データを外部出力する出力部９５で構成されている。また、ネットワーク通信機能部３では、制御装置のネットワーク接続状態および履歴などのネットワーク診断情報をデータ保管部３１に格納している。
【００２６】
次に動作について説明する。
メンテナンス作業者が制御装置１に搭載されたメンテナンス機能部９の入力部９１へ手動スイッチ入力をする。手動スイッチ入力を基に既定の処理に変換し、データ処理部９２にて決められた処理を実行する。例えば、手動スイッチ入力が「ネットワーク診断」であれば、ネットワーク通信機能部３に対し、データ保管部３１からネットワーク診断情報３１１をデータ処理部９２へ取得する。取得したネットワーク診断情報から文字出力変換部９３にて、文字データ記憶部９４に登録しているネットワーク診断情報に該当する診断結果の音声データおよび診断結果に対する対処方法の音声データを取得し、出力部９５から文字出力する。
これにより、メンテナンス作業者は、メンテナンス端末または専門知識がなくても、メンテナンス機能部２の手動スイッチ入力により、ネットワーク診断情報を取得出来かつ必要な対応方法が取得可能となる。
【００２７】
実施の形態５における制御装置は、図６に示す通り、次の構成が適用されている。
制御対象設備につきネットワークを介して制御処理を行う制御装置であって、ネットワーク接続状態および履歴情報を含むネットワーク診断情報を保管するデータ保管部３１と、メンテナンス処理を実行するデータ処理部と、手動スイッチ入力を入力する手動スイッチ入力部９１１と、前記データ処理部９２における処理結果を文字出力に変換する文字出力変換部９３とを備え、前記データ処理部９２は前記手動入力部に入力された手動スイッチ入力に応じたメンテナンス処理を実行し前記データ保管部３１から所要の情報を取得するとともに、前記データ処理部９２における処理結果が前記文字出力変換部９３を介して文字出力部９５１により文字データとして出力されることを特徴とする。
すなわち、制御装置へユーザインターフェースとして機能するメンテナンス機能部を設け、メンテナンス作業者が手動スイッチにより選択に応じた既定処理を実行し、更に実行結果を文字出力にて応答することを可能とした制御装置とした。
この構成により、専門知識の必要なしに、手動スイッチ入力により、メンテナンス処理を実施できるとともに、メンテナンス処理結果を取得でき、必要な対応手段を遂行することが可能となる。
【００２８】
なお、この出願における技術思想としての開示事項は、その技術範囲内において、実施の形態を自由に組合せたり、各実施の形態を適宜、変形、省略することが可能である。
【符号の説明】
【００２９】
１  制御装置、１１  内部バス、２  メンテナンス機能部、２１  入力部、２２  データ処理部、２３  音声データ変換部、２４  音声データ記憶部、２５  出力部、３  ネットワーク通信機能部、３１  データ保管部、４  ＣＰＵ部、４１  データ保管部、５  メンテナンス機能部、５１  入力部、５２  データ処理部、５３  ＣＳＶファイル生成部、５４  外部Ｉ／Ｆ部、８  ＣＰＵ部、８１  タイマーメモリ、９  メンテナンス機能部、９１  入力部、９２  データ処理部、９３  文字出力変換部、９４  文字データ記憶部、９５  出力部。
【図１】
2019185695.tif 000003
【図２】
2019185695.tif 000004
【図３】
2019185695.tif 000005
【図４】
2019185695.tif 000006
【図５】
2019185695.tif 000007
【図６】
2019185695.tif 000008